(57)【要約】      （修正有）【課題】物品の管理を容易にすることができる管理記号付き物品、物品の管理記号表示体、あるいは物品の収容装置を提供する。【解決手段】物品５と、物品に形成された表示領域１と、表示領域に表示され、物品を管理するための管理記号２と、を備え、管理記号は、物品に関連する用語の頭文字に対応する数字を含む。【選択図】図９
2015013479.tif 000002
【特許請求の範囲】
【請求項１】
物品と、
前記物品に形成された表示領域と、
前記表示領域に表示され、物品を管理するための管理記号と、を備え、
前記管理記号は、前記物品に関連する用語の頭文字に対応する数字を含む、管理記号付き物品。
【請求項２】
表示領域と、
前記表示領域に表示され、物品を管理するための管理記号と、を備え、
前記管理記号は、前記物品に関連する用語の頭文字に対応する数字を含む、物品の管理記号表示体。
【請求項３】
前記物品に関連する用語は、前記物品を使用する際に行う動作を表す動詞である、請求項２に記載の物品の管理記号表示体。
【請求項４】
前記動詞は、前記物品を使用している最中の動作を表す動詞、あるいは、前記物品を使用する前の動作を表す動詞、の少なくともいずれかである、請求項３に記載の物品の管理記号表示体。
【請求項５】
前記物品に関連する用語は、日本語以外の言語で表した用語である、請求項２ないし請求項４のいずれかに記載の物品の管理記号表示体。
【請求項６】
請求項２ないし請求項５のいずれかに記載の物品の管理記号表示体と、
前記物品を収容する収容体と、を備え、
前記管理記号表示体は、前記収容体に関連づけられている、物品の収容装置。
【請求項７】
請求項２ないし請求項５のいずれかに記載の物品の管理記号表示体と、
前記物品と、をそれぞれ複数ずつ備え、
前記物品には、前記管理記号表示体が設けられている、管理記号付き物品。
【発明の詳細な説明】
【技術分野】
【０００１】
本発明は、物品の管理記号表示体と、物品の収容装置と、管理記号付き物品と、に関する。
【背景技術】
【０００２】
近年、バーコードやＱＲ（Ｑｕｉｃｋ  Ｒｅｓｐｏｎｓｅ）コード（登録商標）の普及により流通事情は目覚ましく発達している（たとえばＱＲコードは特許文献１に開示されている）。しかしながら、これらのコードは桁数が多すぎたり、あるいは、読み取るのに情報端末機器が必要であったりするなど、万人にとって簡単に用いることができるものとはいえない。
【先行技術文献】
【特許文献】
【０００３】
【特許文献１】特開２００６−１７８５９７号公報
【発明の概要】
【発明が解決しようとする課題】
【０００４】
本発明は、上記した事情のもとで考え出されたものであって、物品の管理を容易にすることができる管理記号付き物品、物品の管理記号表示体、あるいは物品の収容装置を提供することをその主たる課題とする。
【課題を解決するための手段】
【０００５】
本発明の第１の側面によると、物品と、前記物品に形成された表示領域と、前記表示領域に表示され、物品を管理するための管理記号と、を備え、前記管理記号は、前記物品に関連する用語の頭文字に対応する数字を含む、管理記号付き物品が提供される。
【０００６】
本発明の第２の側面によると、表示領域と、前記表示領域に表示され、物品を管理するための管理記号と、を備え、前記管理記号は、前記物品に関連する用語の頭文字に対応する数字を含む、物品の管理記号表示体が提供される。
【０００７】
好ましくは、前記物品に関連する用語は、前記物品を使用する際に行う動作を表す動詞である。
【０００８】
好ましくは、前記動詞は、前記物品を使用している最中の動作を表す動詞、あるいは、前記物品を使用する前の動作を表す動詞、の少なくともいずれかである。
【０００９】
好ましくは、前記物品に関連する用語は、日本語以外の言語で表した用語である。
【００１０】
本発明の第３の側面によると、本発明の第２の側面によって提供される物品の管理記号表示体と、前記物品を収容する収容体と、を備え、前記管理記号表示体は、前記収容体に関連づけられている、物品の収容装置が提供される。
【００１１】
本発明の第４の側面によると、本発明の第２の側面によって提供される物品の管理記号表示体と、前記物品と、をそれぞれ複数ずつ備え、前記物品には、前記管理記号表示体が設けられている、管理記号付き物品が提供される。
【００１２】
本発明のその他の特徴および利点は、添付図面を参照して以下に行う詳細な説明によって、より明らかとなろう。
【図面の簡単な説明】
【００１３】
【図１】本発明の第１実施形態にかかる物品の収容装置の一例を示す斜視図である。
【図２】各物品についての管理記号（表示番号）を決定するため規則を示す表である。
【図３】仮名と管理記号との関係の一例を示す表である。
【図４】アルファベットと管理記号との関係の一例を示す表である。
【図５】ローマ字と管理記号との関係の一例を示す表である。
【図６】本発明の第１実施形態の変形例にかかる管理記号表示体を示す図である。
【図７】本発明の第１実施形態の変形例にかかる管理記号表示体の使用方法を説明するための表である。
【図８】本発明の第２実施形態にかかる管理記号付き物品の一例を示す斜視図である。
【図９】本発明の第３実施形態にかかる管理記号付き物品の一例を示す斜視図である。
【発明を実施するための形態】
【００１４】
以下、本発明の実施の形態につき、図面を参照して具体的に説明する。
【００１５】
＜第１実施形態＞
図１〜図５を用いて、本発明の第１実施形態について説明する。
【００１６】
図１に示す物品の収容装置Ｂ１は種々の物品５（同図には物品５を１つのみ示している）を収納するものである。物品の収容装置Ｂ１の一例としてはたとえばキャビネットが挙げられる。そして、本実施形態では物品の収容装置Ｂ１は複数の引き出しを有する。各引き出しには、２本の並行なパイプが設けられ、種々の物品５が収納されている。引き出しに収納される物品５は、たとえば、図２の「収納対象物品」の欄に記載されている。
【００１７】
本実施形態では、所定の収納区分にしたがって、ある引き出しに収納される物品５が決定される。たとえば、図２に示す「非常」の収納区分に対応する引き出しに収納される物品５は、印鑑セットやテレホンカードや防災頭巾や文具セット等である。あるいは、図２に示す「装着」の収納区分に対応する引き出しに収納される物品５は、扇子や使い捨てカイロやサングラス等である。当該収納区分は、収納する物品５の機能に着目したものであるが、図２に示すものには限定されず、万人に理解しやすいものであれば、どのような収納区分を用いても良い。
【００１８】
物品の収容装置Ｂ１は、複数の収容体３００と、複数の管理記号表示体１００と、を備える。図１では、収容体３００および管理記号表示体１００をそれぞれ１つのみ示している。
【００１９】
複数の収容体３００は各々、物品の収容装置Ｂ１における複数の引き出しのいずれかに配置されている。各収容体３００には物品５が収容される。収容体３００は、たとえば、たとえば透明な材料よりなる袋状のものであってもよいし、あるいは、箱状のものであってもよい。本実施形態では、物品の収容装置Ｂ１における各引き出しに、複数の収容体３００が配置されている。収容体３００はある程度の形状保持性をもったものであり、収容体３００には２つの取り付け穴が設けられている。これらの取り付け穴は、物品の収容装置Ｂ１の引き出しにおけるパイプにはめ込まれ、収容体３００が引き出し内にて固定される。
【００２０】
物品の管理記号表示体１００は、収納された物品５を管理するためのものである。本実施形態では、管理記号表示体１００は、表示領域１と、管理記号２と、を備える。管理記号表示体１００は、どのようなものでもよいが、たとえば、１０ｃｍ〜５０ｃｍ角の板状やカード状のものである。管理記号表示体１００は収容体３００に関連づけられている。すなわち、管理記号表示体１００は、収容体３００に収容されている物品５の管理記号２を表示している。本実施形態では、１つの管理記号表示体１００が、１つの収容体３００に着脱可能に取り付けられている。
【００２１】
表示領域１は、本実施形態では管理記号表示体１００における手前側の面における領域である。表示領域１の態様は特に限定されず、管理記号２を表示可能であればどのようなものであってもよい。
【００２２】
管理記号２は、表示領域１に表示され、物品５を管理するためのものである。管理記号２は、物品５に関連する用語の頭文字に対応する数字を含む。本実施形態では、物品５に関連する用語は、物品５を使用する際に行う動作を表す動詞である。このような動詞は、物品５を使用している最中の動作を表す動詞、物品５の使用が完了した際の動作を表す動詞、および、物品５を使用する前の動作を表す動詞、の少なくともいずれかであることが好ましい。ある物品５の管理記号２を決定する方法の一例を挙げると、たとえば次のとおりとなる。
【００２３】
［物品５が印鑑セットである場合］
図２の最上位欄に示すように、物品５が印鑑セットである場合、印鑑セットを使用する際に行う動作を表す動詞は「押す」である（同図「該当動詞」の欄参照）。すなわち、「押す」との用語は物品５に関連する用語に該当する。「オス」の頭文字は「オ」であり（同図「該当頭文字」の欄参照）、頭文字「オ」に対応する数字が決定されるが、本実施形態では、図３に示す表にもとづき、頭文字に対応する数字が決定される。
【００２４】
図３に示す表から理解できるように、仮名と数字とが一対一に対応している。仮名の直下に記載された数字が、当該仮名に対応する数字である。たとえば、「カ」行の仮名には２０番代の数字を対応させる。具体的には仮名「カ」には数字「２１」を対応させ、仮名「キ」には数字「２２」を対応させ、仮名「ク」には数字「２３」を対応させ、仮名「ケ」には数字「２４」を対応させ、仮名「コ」には数字「２５」を対応させる。同様に、「サ」行の仮名には３０番代の数字を対応させる。具体的には仮名「サ」には数字「３１」を対応させ、仮名「シ」には数字「３２」を対応させ、仮名「ス」には数字「３３」を対応させ、仮名「セ」には数字「３４」を対応させ、仮名「ソ」には数字「３５」を対応させる。
【００２５】
そして、上述のように頭文字が「オ」の場合には、図３に示す表にしたがって、物品５に関連する用語の頭文字に対応する数字が「１５」と決定される（図２の「表示番号」欄も参照）。よって、図１に示すように、印鑑セットを収容している収容体３００に取り付けられた管理記号表示体１００には、管理記号２として「１５」が表示されている。
【００２６】
図３に示す表にしたがって仮名に対応する数字を決定することは一例にすぎない。仮名に対応する数字の決定方法は、図３に示す表にしたがっている必要は必ずしもない。たとえば、図５に示す表を用いて、仮名に対応する数字を決定してもよい。図５の表は、図４の表をもとに作成されている。図４の表にて括弧内のアルファベットの直前に記載された数字が、当該アルファベットに対応する数字である。そして、たとえば、「カ」行の仮名には、図４の「Ｋ」に対応する数字が「２４」であることを考慮し、２４０番代の数字を対応させる。具体的には仮名「カ」には数字「２４１」を対応させ、仮名「キ」には数字「２４２」を対応させ、仮名「ク」には数字「２４３」を対応させ、仮名「ケ」には数字「２４４」を対応させ、仮名「コ」には数字「２４５」を対応させる。同様に、「サ」行の仮名には、図４の「Ｓ」に対応する数字が「７４」であることを考慮し、７４０番代の数字を対応させる。具体的には仮名「サ」には数字「７４１」を対応させ、仮名「シ」には数字「７４２」を対応させ、仮名「ス」には数字「７４３」を対応させ、仮名「セ」には数字「７４４」を対応させ、仮名「ソ」には数字「７４５」を対応させる。また、仮名「ア」には、図４の「Ａ」に対応する数字が「７２」であることを考慮し、「７２１」を対応させ、仮名「イ」には、図４の「Ｉ」に対応する数字が「４３」であることを考慮し、「４３２」を対応させる。同様に、仮名「ウ」には「４２３」を対応させ、仮名「エ」には「８２４」を対応させ、仮名「オ」には「２２５」を対応させる。その他の仮名についても同様の方法により、対応する数字が決定される。
【００２７】
［物品５が文具セットである場合］
図２の最上位から４番目の欄に示すように、物品５が文具セットである場合、文具セットを使用する際に行う動作を表す動詞は「書く」である（同図「該当動詞」の欄参照）。「書く」との用語は、物品５に関連する用語に該当する。「カク」の頭文字は「カ」であり（同図「該当頭文字」の欄参照）、頭文字「カ」に対応する数字が決定される。頭文字が「カ」の場合には、図３に示す表にしたがって、物品５に関連する用語の頭文字に対応する数字が「２１」と決定される（図２の「表示番号」欄も参照）。よって、文具セットを収容している収容体３００に取り付けられた管理記号表示体１００には、管理記号２として「２１」が表示される。
【００２８】
管理記号２の決定手順は、その他の物品５の場合においても同様である。このように、各物品５に対応する管理記号２が、物品５を収容している収容体３００に取り付けられた管理記号表示体１００に表示されている。
【００２９】
以上の決まりにしたがって、管理記号２が表示された管理記号表示体１００とともに収容体３００内に、物品５が収納されている。すなわち、「非常」に対応する物品の収容装置Ｂ１における引き出し内では、管理記号２として「１５」が表示された管理記号表示体１００に対応する収容体３００に、印鑑セットが収容されている。同様に、「非常」に対応する物品の収容装置Ｂ１における引き出し内では、管理記号２として「２１」が表示された管理記号表示体１００に対応する収容体３００に、テレホンカードと、防災頭巾と、文具セットとが収容されている。同様に、「非常」に対応する物品の収容装置Ｂ１における引き出し内では、管理記号２として「２２」が表示された管理記号表示体１００に対応する収容体３００に、ラジオが収容されている。「非常」以外の収納区分に対応する物品の収容装置Ｂ１における引き出し内での、物品５の収容方法についても同様である。
【００３０】
次に、物品の収容装置Ｂ１の使用方法について説明する。
【００３１】
物品５を探す方法を、物品５が印鑑セットである場合を例として説明する。まず、探している物品５の「収納区分」を把握する。印鑑セットを探している場合には、印鑑セットたる物品５の「収納区分」は「非常」であると把握する（図２参照）。そして、印鑑セットを探している者は、その物品５の「収納区分」である「非常」に対応する、物品の収容装置Ｂ１の引き出しを引き出す。
【００３２】
次に、印鑑セットを探している者は、印鑑セットを使用する際に行う動作を表す動詞「押す」を想起する。そして、動詞「オス」の頭文字「オ」に対応する管理記号２として「１５」を、把握する。印鑑セットを探している者は、図３に示す表を実際に確認することにより管理記号２を把握してもよい。
【００３３】
次に、「非常」に対応する物品の収容装置Ｂ１の引き出しに配置された収容体３００のうち、管理記号２として「１５」との表記が付された管理記号表示体１００が取り付けられたものを探し出す。そして、管理記号２として「１５」との表記が付された管理記号表示体１００が取り付けられた収容体３００には、印鑑セットが収納されているから、印鑑セットを探している者は容易に印鑑セットを探し出すことができる。
【００３４】
印鑑セットの使用者は、印鑑セットとともに、管理記号表示体１００を引き出しから取り出して、管理記号表示体１００を手元に置いておくとよい。これにより、印鑑セットの使用者は、印鑑セットを使用後、どこに印鑑セットを返却すればよいかを認識できる。
【００３５】
なお、物品の収容装置Ｂ１の引き出しにおけるパイプにはめ込まれたパイプを介して通電する、ＬＥＤ等のランプを引き出し正面側に設け、引き出しに収納された物品５の重さに応じてランプを点灯および消灯させてもよい。これにより、引き出しを開けることなく、引き出し内の物品５の在庫の有無を確認できる。
【００３６】
また本実施形態とは異なり、各物品５に対し、互いに同一の２つの管理記号表示体１００を、各物品５を収容する収容体３００に取り付けておいてもよい。この場合、印鑑セットの使用者は、印鑑セットを収容体３００から取り出す際に印鑑セットとともに、管理記号表示体１００を１つ引き出しから取り出して、取り出した管理記号表示体１００を手元に置いておく。これにより、別の者が印鑑セットを探す際に引き出しを見た場合に、管理記号表示体１００が本来の２つではなく１つしかないので、他の者は、印鑑セットは持出中であると認識することができる。
【００３７】
次に、本実施形態の作用効果について説明する。
【００３８】
本実施形態においては、管理記号表示体１００は、表示領域１に表示され、物品５を管理するための管理記号２を備える。管理記号２は、物品５に関連する用語の頭文字に対応する数字を含む。このような構成によると、管理記号２としてシンプルなものを用いることが可能となる。管理記号２がシンプルであると、物品５の管理が容易となる。
【００３９】
本実施形態においては、物品５に関連する用語は、物品５を使用する際に行う動作を表す動詞である。物品５を探す者は、その物品５の名詞を思い出すことに比べて、物品５を使用する際に行う動作を示す動詞を、より思い出しやすい。このことは、物の称呼（すなわち物品５の名詞）が不確かな場合であっても、その物品５について「○○するものって何だっけ？」と考えることがよくあることからも、理解できる。よって、本実施形態によると、物品５の名称（名詞）を思い出せなかった場合であっても、探したい物品５を確実に見つけることが可能となる。
【００４０】
なお、上述の説明では、物品５に対応する用語の頭文字１文字に対応する数字を管理記号２として採用する例を示したが、管理記号２の決定方法はこれに限定されない。たとえば、物品５に対応する用語が「キャ」からはじまる場合には、「キ」に対応する数字ではなく、「キャ」に対応する数字「２２．８８１」（図３参照）を管理記号２として用いてもよい。
【００４１】
なお、図２の「非常」の収納区分の「テレホンカード」、「防災頭巾」、および「文具セット」のように、同一の管理記号２を有する物品５は、同一の収容体３００に収容されていてもよいし、別個の収容体３００に収容されていてもよい。
【００４２】
＜第１実施形態の第１変形例＞
次に、本発明の第１実施形態の第１変形例について説明する。
【００４３】
なお、以下の説明では、上記と同一または類似の構成については上記と同一の符号を付し、説明を適宜省略する。
【００４４】
本変形例では、物品５に関連する用語は、日本語以外の用語であり、たとえば英語である。この場合に管理記号２を決定するには、図４に示す表を用いるとよい。
【００４５】
物品５に関連する用語が英語の場合の管理記号２を決定する方法の一例を挙げると、物品５がラジオである場合には、物品５を使用する際に行う動作を表す動詞は「ＬＩＳＴＥＮ」である。頭文字がアルファベット「Ｌ」の場合には、図４に示す表にしたがって、物品５に関連する用語の頭文字に対応する数字が「９１」と決定される。よって、ラジオを収容している収容体３００に取り付けられた管理記号表示体１００には、管理記号２として「９１」が表示される。
【００４６】
図４に示す表にしたがってアルファベットに対応する数字を決定することは一例にすぎない。アルファベットに対応する数字の決定方法は、図４に示す表にしたがっている必要は必ずしもないが、万人に理解しやすいものであることが好ましい。
【００４７】
本変形例によると、日本語を理解できない外国人等が物品５を探す場合であっても、探したい物品５を確実に見つけることが可能となる。
【００４８】
なお本変形例とは異なり、管理記号２は、物品５に関連する日本語の用語の頭文字に対応する数字と、物品５に関連する英語の用語の頭文字に対応する数字と、を合成したものであってもよい。たとえば、物品５に関連する動詞が「切る」である場合、物品５に関連する日本語の動詞の頭文字は仮名「キ」である。このとき、図３の表にしたがうと、仮名「キ」に対応する数字は、「２２」である。一方、物品５に関連する動詞が「切る」である場合、物品５に関連する英語の動詞（「ＣＵＴ」）の頭文字はアルファベット「Ｃ」である。このとき、図４の表にしたがうと、アルファベット「Ｃ」に対応する数字は、「２３」である。そして、仮名「キ」に対応する数字「２２」と、アルファベット「Ｃ」に対応する数字「２３」と、をそれぞれ１０倍した数の和を、管理記号２として用いてもよい。このように、管理記号２としては、５０音順の辞書等とは関係の無い数字を用いることができる。
【００４９】
＜第１実施形態の第２変形例＞
図６、図７を用いて、本発明の第１実施形態の第２変形例について説明する。
【００５０】
本変形例では、図６に示すように、管理記号表示体１００の表示領域１には、管理記号２の候補として３種類の管理記号２が表示されている。管理者は、実際に使用する管理記号２の左上のチェックボックスにチェックして、管理記号表示体１００を使用する。
【００５１】
また、本変形例では、互いに同一の３つの管理記号表示体１００を用いる。３つの管理記号表示体１００をそれぞれ、管理記号表示体１００Ａ，１００Ｂ，１００Ｃとしている。なお、本変形例では、管理記号表示体１００は収容体３００に着脱可能に取り付けるのではなく、収容体３００内に収容するとよい。一方、本変形例では、管理手帳（図示略）を用いる。管理手帳には複数の管理記号表示体１００が格納される。管理手帳には、インデックスを付すなどして、各々が管理記号表示体１００を格納する３つの区分に分かれている。１つ目の区分は（１）管理対象物品の区分であり、２つ目の区分は（２）持出物品の区分であり、３つ目の区分は（３）更新情報の区分である。
【００５２】
（１）管理対象物品の区分は、購入等により取得した物品５を把握するためのものである。（１）管理対象物品の区分には、購入等により取得された物品５に対応する管理記号表示体１００Ｃが格納される。
【００５３】
（２）持出物品の区分は、引き出し内から持ち出された物品５を把握するためのものである。（２）持ち出し物品の区分には、引き出し内から持ち出された物品５に対応する管理記号表示体１００Ｂが格納される。
【００５４】
（３）更新情報の区分は、更新情報がある物品５を把握するためのものである。更新情報は、たとえば、物品５がカッターナイフである場合には、替え刃が不足しているといった情報である。（３）更新情報の区分には、引き出し内から持ち出された物品５に対応する管理記号表示体１００Ａが格納される。
【００５５】
次に、図７を参照しつつ、管理記号表示体１００Ａ，１００Ｂ，１００Ｃの使用方法について説明する。
【００５６】
［購入時］
まず、物品５の購入時には、図７の「現品」欄に示すように、物品５を引き出し内の収容体３００に収容する。また、同図の「管理記号表示体１００Ａ」欄、および「管理記号表示体１００Ｂ」欄に示すように、当該物品５に対応する管理記号表示体１００Ａ，１００Ｂを、引き出し内に収容する。一方、同図の「管理記号表示体１００Ｃ」欄に示すように、管理記号表示体１００Ｃを、管理手帳における（１）管理対象物品の区分に格納する。管理記号表示体１００Ｃは、物品５が廃棄されるまでは常に、管理手帳における（１）管理対象物品の区分に格納される。よって、（１）管理対象物品の区分に格納された管理記号表示体１００Ｃを確認することにより、管理すべき物品５が把握される。
【００５７】
［持出時］
次に、引き出しの収容体３００から物品５を持ち出した時には、図７の「管理記号表示体１００Ｂ」欄に示すように、管理記号表示体１００Ｂを、管理手帳における（２）持ち出し物品の区分に格納する。これにより、別の者がある物品５を探す際に引き出しを見た場合に、管理記号表示体１００が本来の２つではなく１つしかないので、他の者は、当該物品５は持出中であると認識することができる。一方、管理手帳における（２）持ち出し物品の区分に格納された管理記号表示体１００Ｂを確認することにより、持ち出し中の物品５が把握される。
【００５８】
［更新情報発生時］
次に、上述した更新情報が発生した場合には、当該更新情報が発生した物品５の管理記号表示体１００Ａを、管理手帳における（３）更新情報の区分に格納する。たとえば、物品５がカッターナイフであるとして、替え刃が不足している場合には、カッターナイフの管理記号表示体１００Ａを、管理手帳における（３）更新情報の区分に格納する。これにより、引き出しには、当該物品５の管理記号表示体１００は全て無くなる。これにより、他の者が引き出しを見た場合、当該物品５の在庫が無いと認識することができる。一方、たとえば物品５がカッターナイフである場合に替え刃が調達されるなどして、更新情報が消滅した場合には、管理記号表示体１００Ａは、管理手帳における（３）更新情報の区分から、引き出し内に移動させられる。これにより、３つの管理記号表示体１００が、通常の持ち出し時の配置態様に戻ることとなる。すなわち、他の者が引き出しを見た場合、当該物品５の在庫が有ると認識することができる。
【００５９】
以上のように、本変形例によると、３つの管理記号表示体１００を用いて、物品の管理を非常に効率的に行うことが可能となる。
【００６０】
＜第２実施形態＞
図８を用いて、本発明の第２実施形態について説明する。
【００６１】
本実施形態においては、物品５に管理記号表示体２００が設けられている点において、上述の実施形態とは異なる。図８に示すように、管理記号表示体２００はたとえばシールであり、物品５に貼付されている。管理記号表示体２００は、表示領域１および管理記号２を有する。表示領域１はたとえばシールの表面である。管理記号２は、第１実施形態において述べた説明を適用できるから、本実施形態では説明を省略する。物品５に管理記号表示体２００が設けられることにより、管理記号付き物品Ｂ２が構成されている。たとえば、物品５が印鑑セットである場合には、管理記号２として「１５」が表示された管理記号表示体２００とともに、管理記号付き物品Ｂ２が構成されている。
【００６２】
このような管理記号付き物品Ｂ２は、第１実施形態で述べたのと同様に、各「収納区分」に対応する、キャビネットにおける引き出しに収納される。
【００６３】
本実施形態によっても、第１実施形態で述べたのと同様の作用効果を奏する。
【００６４】
なお、本実施形態においても、第１実施形態の第１変形例で述べたように、物品５に関連する用語として、日本語以外の用語を用いてもよい。
【００６５】
＜第３実施形態＞
図９を用いて、本発明の第３実施形態について説明する。
【００６６】
本実施形態においては、物品５自体に、管理記号２が表示された表示領域１が形成されている点において、第２実施形態とは異なる。管理記号２は、第１実施形態において述べた説明を適用できるから、本実施形態では説明を省略する。物品５に管理記号２が表示された表示領域１が形成されていることにより、管理記号付き物品Ｂ３が構成されている。
【００６７】
このような管理記号付き物品Ｂ３は、第１実施形態で述べたのと同様に、各「収納区分」に対応する、キャビネットにおける引き出しに収納される。
【００６８】
本実施形態によっても、第１実施形態で述べたのと同様の作用効果を奏する。
【００６９】
なお、本実施形態においても、第１実施形態の第１変形例で述べたように、物品５に関連する用語として、日本語以外の用語を用いてもよい。
【００７０】
本発明は、上述した実施形態に限定されるものではない。本発明の各部の具体的な構成は、種々に設計変更自在である。
【００７１】
上述の説明では、物品５を使用している最中の動作を表す動詞を、管理記号２として用いる例を示したが、管理記号２はこれに限定されない。たとえば、物品５を使用する前の動作を表す動詞を、管理記号２として用いてもよい。たとえば物品５が「保存水」である場合、物品５を使用している最中の動作を表す動詞は「飲む」であるが、物品５を使用する前の動作を表す動詞には「開ける」が該当する。
【００７２】
管理記号２として、物品５を使用する際に行う動作を表す動詞を用いる必要は必ずしもない。たとえば管理記号２として、物品５を表す名詞や物品５を修飾する形容詞を用いてもよい。
【００７３】
物品５を使用する際に行う動作を表す動詞のうち、管理記号２としては用いないものを予め決めておいてもよい。このような動詞としては、「利用する」、「関係する」、あるいは「役立てる」等の抽象的な動詞が挙げられる。
【符号の説明】
【００７４】
１  表示領域
１００  管理記号表示体
２  管理記号
２００  管理記号表示体
３００  収容体
５  物品
Ｂ１  物品の収容装置
Ｂ２  管理記号付き物品
Ｂ３  管理記号付き物品
【図１】
2015013479.tif 000003
【図２】
2015013479.tif 000004
【図３】
2015013479.tif 000005
【図４】
2015013479.tif 000006
【図５】
2015013479.tif 000007
【図６】
2015013479.tif 000008
【図７】
2015013479.tif 000009
【図８】
2015013479.tif 000010
【図９】
2015013479.tif 000011